(57)【要約】【課題】実用新案は小発明であると言うものの考案は一般人には難しいとの先入観があり、考案者は職務専門家か、一般でも知識ある人に限られている。当発明は、誰でも参加できる実用新案考案システムを目指す。【解決手段】実用新案創出を促進する組織が構成するＷＷＷサイトに、身の回り物品のよくある課題とその解決手段を、短文と写真またはイラスト画（以下、画）にして記憶しておく。一方ＷＷＷサイトに繋ぐ端末機から、改善したい物品を短文と画で入力表示しホストコンピューターに送信する。するとホストコンピューターは、送られてきた改善物品の短文と同じまたは類似する解決手段短文を記憶装置の中に探し、ヒットした短文と画を端末機に送る。端末機は、すでに表示している改善したい物品の短文と画の同じ画面上に、ホストコンピューターより送信されたよくある課題短文と画のセットを並べて表示することにより、実用新案の作成に向かう。【選択図】図４
2012027883.tif 000002
【特許請求の範囲】
【請求項１】
実用新案作成を支援する組織のホストコンピューターまたはこれに接続するサーバ（以下、ホストコンピューター）の記憶装置は、
身の回りの物品によくある課題とその解決手段を結んで短文にし、解決手段を写真またはイラスト画（以下、画）に描き、短文と画のセットで様々な課題と解決手段を記憶しており、
物品の実用新案を目指す端末機から、通信ネットワークを介してホストコンピューターに接続し、改善したい物品を短文に記し、且つ画にし、以上を端末機画面に入力表示しホストコンピューターに送信すると、
前記を受信したホストコンピューターは、受信した改善物品短文と同じまたは類似する解決手段短文を記憶装置に探し、ヒットした解決手段短文の全てを、セットの画と共に端末機に返信し、
前記を受信した端末機は、既に入力表示している改善物品短文と画の同じ画面に並べ、ホストコンピューターより受信した解決手段の短文と画のセットを順次表示するとした実用新案作成システム。
【請求項２】
請求項１において、ホストコンピューターまたはこれに接続するサーバの記憶装置に、身の回り物品によくある課題とその解決手段を短文と画で記憶すると共に、
続けてホストコンピューターは、実用新案を出願するとき中心となる書類、すなわち明細書と図面の書式フォーマットを記憶して、
物品の実用新案を目指す端末機からホストコンピューターに接続し、改善したい物品の短文と画を送信すると、ホストコンピューターはこれと類似する解決手段短文を記憶装置に探し、ヒットした短文と画を端末機に返信し、請求項１を実行すると共に、
続けてホストコンピューターは、前記の明細書と図面の書式フォーマットを端末機に送信して、
前記を受信した端末機は、受信した書式フォーマットを画面に表示し、
明細書の課題欄に、実用新案を目指す端末機から入力した「改善したい物品」の短文を表示し、
明細書の手段欄に、ホストコンピューターから受信した「よくある課題とその解決手段」の短文を表示し、
図面には、一図として端末機から入力した「改善したい物品の画」と、さらに一図としてホストコンピューターから受信した「よくある課題その解決手段の画」を表示するとした実用新案作成システム。
【発明の詳細な説明】
【発明の詳細な説明】
【技術分野】
【０００１】本発明は、身の回り品の小発明である実用新案を、一般の人がコンピューターシステムにより創出する。次にその登録願の一部分を、考案者自らがコンピューターシステムにより書類作成する。以上の実用新案作成技術２件に関する。
【先行技術文献】
【０００２】発明や実用新案の新規作成をシステム的に行うとする先行技術はない。あるのは次のような、作成する発明の新規性の有無判断をシステム的に行うものである。
【特許文献１】特許公開２０００−１３２５６９
【特許文献２】特許公開２００５−１００３７０
【０００３】また、発明や実用新案の出願書類をシステムによって作成する次のものがある。しかしこれは原稿データを発明者と出願処理者がサーバを介して作成するものであり、発明者自らが行うシステムとはなっていない。
【特許文献３】特許公開２００６−１９０３４２
【発明が解決しようとする課題】
【０００４】この発明は、実用新案を世に出そうとするときの、次のような課題に関する。
▲１▼  小発明であると言うものの考案は一般人には難しいとの先入観があり、考案者は職務専門家か、一般でも知識ある人に限られている。当発明は、誰でも参加できる実用新案作成システムを目指す。
▲２▼  自然資源のないわが国は、あらゆる物品を取り上げて、常に新製品を開発して国民総生産を上げていく必要がある。しかるに現状では考案の対象とする物が、不便であるなど必要にかられた物に限られている。当発明は、身の回りに存在するもの全てを対象として、「こうなったらいいな」を含めた実用新案創出システムを目指す。
▲３▼  身の回り品の改善は日進月歩であり素早い対応が求められるが、考え始めから考案の核となる手段の確定までにかなり時間がかかる。当発明は、始まりの着想から核となる手段の決定までを短時間で完了することを目指す。
▲４▼  実用新案申請は、申請専門家の手を借りなければならないことが多い。当発明は、考案者が自ら作成できることを目指す。
本発明は、以上の目的のためになされた。
【０００５】
【課題を解決するための手段】
【０００６】これらの課題解決のため、実用新案創出を促進する組織が、実用新案の作り方を相談する人々のために、アドバイス用ホームページのサイトを持つＷＷＷサーバを、インターネット上に開設しておく。サーバは課題解決に向けて、各種データベースを記憶し、これを実用新案創出に活用する。これを請求項別に説明する。
【０００７】請求項１を成すためのデータベースを説明する。請求項１は物品の改善を行う実用新案システムである。その課題解決のための手段として、ＷＷＷサーバの記憶装置は次の２つのデータベースを記憶する。身の回り物品によくある課題とその既知の解決手段を短文にしたデータベースと、その解決手段をビジュアルに見せる写真またはイラスト画（以下、画）のデータベースの２つである。
【０００８】これらの用意で実用新案目指す人は、通信ネットワークを介してホストコンピューターに接続する端末機から、解決したい物品を短文と画にして入力し、ホストコンピューターに送信する。
【０００９】すると、ホストコンピューターは、端末機より受信した改善したい物品短文と同じまたは類似する解決短文を記憶装置に探し、ヒットした短文と画のセットの全部を記憶装置より取り出して端末機に返信する。
【００１０】以上によって、端末機は既に入力し表示している改善したい物品の短文と画の同じ画面上に、ホストコンピューターより送信された解決手段の短文と画を順次並べて、比較検討して以後出願を可能とする。
【００１１】請求項２を成すためのデータベースを説明する。請求項２は、請求項１の実施後、実用新案の願書を作成する。このためＷＷＷサーバの記憶装置は、実用新案を出願するとき最も中心となる書類、すなわち明細書と図面の書式フォーマットを記憶装置に記憶しておく。
【００１２】これらの用意で、端末機が改善目指すため物品の各種データを送信し、ホストコンピューターは請求項１の実行を完了したとき、続けてホストコンピューターは前記の書式フォーマットを端末機に送信して、端末機はこれを受信して画面に表示する。
【００１３】最後に端末機は請求項１の実施により端末機から入力した短文と画、および記憶装置より得た短文と画を、前記受信した書式フォーマットの明細書の課題欄と手段欄および図面に表示していき、実用新案出願準備を可能とする。
【発明の効果】
【００１４】これらの手段をとったことにより、当発明の実用新案のシステムは、次のような優れた効果を生む。
▲１▼  考案する人において、製品開発に縁のない人でも簡単に出願できるようになる。
▲２▼  考案する対象物において、問題意識なく見過ごしている物が、更なる改善点を見つけて対象となる。
▲３▼  考案完成までの期間において、発案から出願までを、短期間に達成できる。
▲４▼  考案を申請する書類を作成することにおいて、他人を煩わすことなく、考案者自ら出願できる。
【図面の簡単な説明】
【００１５】
【図１】  ホストコンピューターと、記憶する課題解決手段
【図２】  記憶装置データベースの一例
【図３】  端末装置に入力された、改善したい物品の短文と画
【図４】  端末装置に表示された、課題解決手段の短文と画
【図５】  端末装置に表示された、実用新案書式
【図６】  請求項１のフローチャート
【図７】  請求項２のフローチャート
【発明を実施するための形態】
【００１６】この発明は、身の回り物品の改善をシステムで行い、且つ実用新案出願を考えるとき書類作成もシステムで行う技術に関する。この目的のため実用新案創出を促進する組織が、実用新案の作り方を相談する人のために、アドバイス用ホームページのサイトを持つＷＷＷサーバをインターネット上に開設して電子システムを構築する。これにより当発明の主旨、誰もが、目にした物をなんでも、スピーディーに、自ら出願する、以上４つのことを可能とする。その実施例を、図面を見ながら、請求項ごとに順次詳しく説明していく。
【００１７】
【請求項１を説明】
【００１８】請求項１は、身の回りの物品にいま起きている課題を解決する考案をして、実用新案の出願を目指す人のためのシステムである。我々の身の回りには無数の物品があって、我々の生活の必需品となっている。しかし生活様式の変化と共に使い勝手が微妙に変化していき、我々はこれらを次々と改善して次世代に渡していかなければならない。ひとつの事例として、例えば古代エジプト人がピラミッドの巨石を運ぶとき、重いものの下にはコロ（輪）を敷く発明をした。この技術は現在も今なお脈々と現代に受け継がれ、作業現場における重量物ローラー搬送機や、最近では子供用の靴にローラー（輪）をつける身近なこととして使われる。したがって我々が目指す小さな発明は、先人からの技術を踏襲する、言い換えれば周知の技術を転用することで行う。
【００１９】  請求項１の実施例を、第１図・第２図・第３図・第４図および第６図を見ながら説明する。第１図で示した１つの例は「敷布団が重くて毎日の上げ下ろしに困っている、敷布団を軽くして欲しい」という主婦層によくある課題での実施例である。主婦層というあまり発明に関係ない人達が、敷布団を軽くする小発明を目指したとき、彼女らは実用新案の作り方を相談する人のためのアドバイス用ホームページのサイトに頼ることになる。
【００２０】この実用新案創出を促進する組織のアドバイス用ホームページのサイトは、ホストコンピューター（１）とこれに接続するサーバ（２）によって構成され、この構成は通信ネットワーク（３）を介して多くの端末機（４）に繋がれる。ホストコンピューター（１）とこれに接続するサーバ（２）の記憶装置には、実用新案を作る人のために２つのデータベースを予め記憶している。
【００２１】請求項１におけるデータベースその１つ目が、身の回り物品によくある課題とそれを解決する手段を短文で説明するデータベースである。身の回りによくある課題とは、「重いものを軽くしたい」、「大きいものを小さくしたい」、「場所をとらないよう収納したい」、「壊れないような頑丈な形にしたい」、「見た目にもっと綺麗な形にしたい」、「寒いので温かくしたい」、「熱いので冷ましたい」など、我々が昔から経験した物品上の課題ばかりである。
【００２２】その課題に対応する解決手段も、我々が昔から生活の知恵の中から考え出したノーハウばかりである。例えば、「重いものを軽くしたい」に対応する解決手段のひとつは、「物品を分割する」ことである。この課題と手段は一文（いちぶん）に結ばれており、図２で示した如く、例えば「重いものを軽くするため、分割する」のように、よくある課題と手段短文（５）のかたちをなして、データベースで記憶されている。
【００２３】このようにして、よくある課題に手段が用意されるが、１つの課題に２つ以上の手段を用意している。手段を複数用意する理由は、後述するように、ひとつの課題に対して手段を複数から選択したいためである。
【００２４】手段を２つ以上用意するのは難しいことではない。よくある課題であるから、先人から引き継いだその解決手段は、１つだけでなく多くの手段が蓄積されている。前例をとりあげれば、「重いものを軽くしたいので、物品を分割する」、「重いものを軽くしたいので、物品を上から吊るす」、「重いものを軽くするため、車輪を付ける」など、図２で羅列した、よくある課題と手段短文（５）の如くとなる。このように、当発明の最大ポイントは、いかに多くに解決手段を用意するかにかかっている。
【００２５】請求項１のデータベースその２つ目が、物品を写真またはイラストで描いて用意していることである。前記の例では、「重いものを軽くしたいので、物品を分割する」には物品を三分割した手段を描いた図２の、よくある解決手段の画（６）が用意される。同様に「重いものを軽くしたいので、物品を上から吊るす」や、「重いものを軽くするため、車輪を付ける」等にも、よくある解決手段の画（６）が用意される。
【００２６】当発明の実用新案作成システムでは、考案に写真またはイラスト画を多用する。その理由であるが、小発明は前に述べたように、先人の蓄積を踏襲することにある。言い換えれば、踏襲とはあるものの技術蓄積を見て、その技法を次に生かすことである。したがってこれから改善する物品を中央に置いて、その周辺に従来技術の蓄積を配置して改善に使えないかと検討する。このコンセプトがこの発明の柱となっている。
【００２７】用意する画は用意のしやすさから言えば写真が一般的であるが、これをイラスト画にすることも一向に構わない。
【００２８】以上２つのデータベースが用意されると、いよいよ小発明の開始となる。これを第３図で説明する。通常発明といえば念入りな実験や試作を繰り返す必要があるが、これは小発明であり、しかもシステムを使いながら作り上げていくので、主婦はただパソコンの前に座るだけでいい。パソコンに座って、現在抱えている改善したい物品の短文と画を入力していく。主婦が端末機（４）から、改善を目指す物品に関して、２つを入力する。
【００２９】１つは、改善したい物品を短文にしたものである。物品のどこを改善したいかを、改善したい物品の短文（８）として入力する。この実施例では「（敷布団が重いので）敷布団を軽くしたい」となる。
【００３０】２つは、改善したい物品を画にしたものである。画にして端末機（４）の画面に、改善したい物品の画（９）として入力するのである。今回の事例では、敷布団を写真またはイラスト画に描き、端末機画面（７）上にＵＰするのである。
【００３１】なお、当発明では短文とともに画を必要としている。このうち短文は必須であるが、画は場合によっては省略することも可能である。文字だけでその物品が容易にイメージできる物品の場合は、画は必ずしも必要ではない。
【００３２】小発明を目指す主婦は以上２つを端末機（４）に入力すると図３で示すように、端末機画面（７）に、改善したい物品の短文（８）および改善したい物品の画（９）として表示される。以上の入力は、通信ネットワーク（３）を通じて、ホストコンピューター（１）に送信される。
【００３３】これを受信したホストコンピューター（１）は、受信した短文と同じまたは類似する短文を記憶装置の中に探す。実施例では改善したい物品短文中の「・・軽く・・」を見てホストコンピューター（１）は記憶装置から、「重いものを軽くしたいので、物品を分割する」、「重いものを軽くしたいので、物品を上から吊るす」、「重いものを軽くするため、車輪を付ける」、などの図２に掲げた、よくある課題と手段の短文（５）を探し出す。ホストコンピューター（１）は探し出した全手段を、セットのよくある解決手段の画（６）と共に、端末機（４）に返信する。
【００３４】これを受信した端末機（４）は、図４で示すように、端末機画面（７）で既に入力表示する改善したい物品短文と画の同じ画面上に、ホストコンピューター（１）より受信したよくある課題の短文と画のセットの全部を順次表示する。
【００３５】これによって実用新案を目指す主婦は、改善したい物品の短文（８）および改善したい物品の画（９）を端末機の画面（７）の下部に置きながら、上部には、よくある課題と手段の短文（５）とよくある手段の図（６）を順次見てその中の一つを選ぶことが出来る。改善したいものを、今までによくあった解決手段と同一画面上に置いて比較検討するので、多くの中から一つを選択するのに非常に効率的な方法となる。
【００３６】主婦は上記によって「重いものを軽くしたいので、物品を分割する」の手段を選んだ。これをもって実用新案出願の核心「課題を解決するための手段」とする。このように、素人でもシステムによって、よくある解決手段を幾つも重ねて比較検討してその中から最もよい解決手段を選び、それを骨組みとして実用新案出願を目指すことが簡単に出来るのである。
【００３７】もとろん実用新案出願には、前記の「考案が解決しようとする手段」だけでなく、「実用新案登録請求の範囲」や、「考案の効果」や、「考案実施の形態」などが必要であるが、核心の「課題を解決するための手段」が決定すれば、それ以外は簡単に筆が進むものである。
【００３８】
【請求項２を説明】
【００３９】請求項２を、第５図・第７図を見ながら説明する。請求項２は、請求項１で考案した実用新案を出願書類にまとめていく発明である。自分で成した考案を、一部分とはいえ、システムによってこれを出願書類に作成する。実用新案登録願は、願書、明細書、実用新案登録請求の範囲、要約書、図面の５書類からなる。当発明は、このうち最も考案に最も苦労する手段を決定して、この内容を明細書の手段欄と図面の２書類に作成していく。
【００４０】この目的のために、ホストコンピューター（１）またはこれに接続するサーバ（２）の記憶装置には、請求項１で記憶する各種データの他に、実用新案を出願するときの最も中心となる書類、すなわち明細書（１５）と図面（１６）の書式フォーマットを記憶する。もちろん実際のシステム運営では、実用新案登録願の５書類の全部を記憶装置に記憶しておくことになる。用意して明細書（１５）と図面（１６）はこのシステムで作成し、それ以外の書類、すなわち願書、実用新案登録請求の範囲、要約書の３書類は、このシステムに頼らないで、手書きとすればよい。
【００４１】さて先に示した請求項１における主婦が実用新案を目指した例で示して、この請求項２を説明する。請求項１で主婦は、ホストコンピューター（１）に接続する端末機（４）から、敷布団を改善したい物品の短文（８）と改善したい物品の画（９）としてを送信した。これにより、これを受信したホストコンピューター（１）から、よくある課題と手段の短文（５）とよくある手段の画（６）を端末機（４）に受信して、請求項１を実行したのは、先に述べた通りである。
【００４２】以後システムを継続していくと、ホストコンピューター（１）は、前記の明細書（１５）と図面（１６）の書式フォーマットを端末機（４）に送信する。送信して端末機画面（７）にこれを表示し、次の４項目を実施する。
【００４３】明細書（１５）の課題欄（１７）に、端末機（４）から入力した課題短文（８）を表示する。
【００４４】明細書（１５）の手段欄（１８）に、ホストコンピューターから受信した、よくある課題と手段の短文（５）を表示する。
【００４５】図面（１６）に、端末機（４）から入力した課題ある物品の画（９）と、ホストコンピューター（１）から受信した、よくある手段の画（６）を表示する。
【００４６】このようにして、実用新案を考案すると同時に実用新案の申請書類を表示して、その中の一部分に請求項１の実行により確定した短文や画を表示し、これらを骨組みとして正式書類を完成するのである。
【符号の説明】
【００４７】  １  ホストコンピューター
２  サーバ
３  通信ネットワーク
４  端末機
５  よくある課題と解決手段の短文
６  解決手段の画
７  端末機画面
８  改善したい物品の短文
９  改善したい物品の画
１５  明細書
１６  図面
１７  課題欄
１８  手段欄
１９  端末  スタート
２０  アクセス
２１  課題  入力
２２  「良くある例」表示
２３  終了
２４  ＥＮＤ
２５  願書  作成
２６  願書  表示
【図１】
2012027883.tif 000003
【図２】
2012027883.tif 000004
【図３】
2012027883.tif 000005
【図４】
2012027883.tif 000006
【図５】
2012027883.tif 000007
【図６】
2012027883.tif 000008
【図７】
2012027883.tif 000009